(57)【要約】【課題】紙管を用いた構築物の骨格設計における設計自由度を向上させることが可能な紙管の連結装置を提供すること。【解決手段】紙管の連結装置は、多面体状の基部（１０）と、基部の有する全ての面うち、２以上の面のそれぞれから突出しかつ対象となる紙管（２）の中心孔（２１）に挿入されて圧入嵌合されるべき２以上の雄側突部（１１〜１５）と、基部の有する全ての面うち、前記雄側突部の存在しない１面に開口しかつ他の紙管連結具の同様な雄型突部を受け入れて圧入嵌合されるべき雌側凹部（１６）とを有する紙管連結具（１）を包含する。【選択図】図１
2019184009.tif 000002
【特許請求の範囲】
【請求項１】
多面体状の基部と、
前記基部の有する全ての面うち、２以上の面のそれぞれから突出しかつ対象となる紙管の中心孔に挿入されて圧入嵌合されるべき２以上の雄側突部と、
前記基部の有する全ての面うち、前記雄側突部の存在しない１面に開口しかつ他の紙管連結具の同様な雄型突部を受け入れて圧入嵌合されるべき雌側凹部とを有する紙管連結具を包含する紙管の連結装置。
【請求項２】
付属部品をさらに有し、
前記付属部品には、前記紙管連結具の前記雌側凹部に圧入嵌合さるべき雄側突部と、
所定の機能を実現する機能実現部とが設けられている、請求項１に記載の紙管の連結装置。
【請求項３】
前記機能実現部が、蝶番付きの雄側突部である、請求項２に記載の紙管の連結装置。
【請求項４】
前記機能実現部が、前記雌側凹部の開口を塞ぐ盲板である、請求項２に記載の紙管の連結装置。
【請求項５】
前記機能実現部が、もう一つの雄側突部である、請求項２に記載の紙管の連結装置。
【請求項６】
前記基部が正六面体状である、請求項１に記載の紙管の連結装置。
【請求項７】
前記雄側突部の数が５である、請求項６に記載の紙管の連結装置。
【請求項８】
前記雄側突部の４つの外側面と前記雌側凹部の４つの内側面のそれぞれには、挿入方向に沿って、１又は２以上の突条が凹部側と突部側とで互い違いになるようにして、形成されている、請求項６に記載の紙管の連結装置。
【請求項９】
請求項１〜８に記載の紙管の連結装置と、所定本数の紙管と、壁となる板材とをセットにしてなる小屋の構築用キット。
【発明の詳細な説明】
【技術分野】
【０００１】
本発明は、紙管を用いて様々な構造物の骨格を構築する際に使用される紙管の連結装置に関する。
【背景技術】
【０００２】
紙管を用いて様々な屋内構造物（例えば、棚）の骨格を構築する際に使用される紙管の連結装置は、従来より知られている（特許文献１参照）。この種の連結装置は、紙管連結具（通称、ジョイント）を中心として構成される。この紙管連結具は、立方体状の基部と、この基部により定義される６面のうち、２以上の面のそれぞれから突出する雄型突部とを有し、これらの雄型突部のそれぞれが、紙管の中心孔に圧入嵌合されることで、２以上の紙管同士が互いに連結される。
【先行技術文献】
【特許文献】
【０００３】
【特許文献１】特開２０１７−２１０９９３号公報
【発明の概要】
【発明が解決しようとする課題】
【０００４】
上述の紙管連結具において、紙管連結具同士を連結するにはその間に紙管を介在させるほかはなく、その分だけ、紙管を用いた構築物の骨格設計における設計自由度に制約を受けると言う問題がある。
【０００５】
この発明は、上述の技術的背景に鑑みてなされたものであり、その目的とするところは、紙管を用いた構築物の骨格設計における設計自由度を向上させることが可能な紙管の連結装置を提供することにある。
【０００６】
この発明の他の目的又は作用効果は明細書の以下の記述を参照することにより、当業者であれば容易に理解される筈である。
【課題を解決するための手段】
【０００７】
上述の技術的課題は、以下の構成を有する紙管の連結装置により解決することができると考えられる。
【０００８】
すなわち、本発明に係る紙管の連結装置は、
多面体状の基部と、
前記基部の有する全ての面うち、２以上の面のそれぞれから突出しかつ対象となる紙管の中心孔に挿入されて圧入嵌合されるべき２以上の雄側突部と、
前記基部の有する全ての面うち、前記雄側突部の存在しない１面に開口しかつ他の紙管連結具の同様な雄型突部を受け入れて圧入嵌合されるべき雌側凹部とを有する紙管連結具を包含する。
【０００９】
このような構成によれば、雄側突部と雌側凹部との圧入嵌合を介して紙管連結具同士の直結が可能となるため、紙管連結具自体の基本構造如何とも相俟って、紙管を用いた構築物の骨格設計における設計自由度を向上させることができる。
【００１０】
好ましい実施の態様においては、上述の紙管の連結装置は、
付属部品をさらに有し、
前記付属部品には、前記紙管連結具の前記雌側凹部に圧入嵌合さるべき雄側突部と、
所定の機能を実現する機能実現部とが設けられていてもよい。
【００１１】
このような構成によれば、基本となる紙管連結具の雌側凹部にさらに前記付属部品を装着することで、その機能を拡張することができる。
【００１２】
このとき、前記付属部品の前記機能実現部が、蝶番付きの雄側突部であれば、紙管を用いて室内構築物（例えば、室内小屋）を構築する場合に、例えばドア等の回動乃至旋回部を容易に設計しかつ施工することができる。
【００１３】
また、前記付属部品の機能実現部が、前記雌側凹部の開口を塞ぐ盲板であれば、雌側凹部の不使用時における外観体裁を損ねことがない。
【００１４】
さらに、前記付属部品の前記機能実現部が、もう一つの雄側突部であれば、紙管連結用の突部をさらにもう一つ増やすこともできる。
【００１５】
以上述べた紙管連結装置の幾つかの態様において、前記基部は、正六面体状（立方体状）であってもよい。
【００１６】
このときに、雄側突部の数が５（Ｘ軸の正側と負側との双方へ突出、Ｙ軸の正側と負側との双方へ突出、及びＺ軸の正側と負側とのいずれか一方へのみ突出）であれば、直方体状外観を有する構築物を構成する骨組みの全ての連結部に汎用することができる。なお、Ｘ軸、Ｙ軸、及びＺ軸は互いに直交する軸である。
【００１７】
このとき、前記雄側突部の４つの外側面と前記雌側凹部の４つの内側面のそれぞれには、挿入方向に沿って、１又は２以上の突条が凹部側と突部側とで互い違いになるようにして、形成されていてもよい。
【００１８】
このような構成によれば、突部と凹部とが圧入嵌合される際に、両者が線接触することでその部分に圧力を集中させて、摩擦力を増すことで、抜け止め効果を高めることができる。
【００１９】
別の一面から見た本発明は、上述した紙管の連結装置と、所定本数の紙管と、壁体となる板材をセットにしてなる小屋の構築用キットとして把握することもできる。
【発明の効果】
【００２０】
本発明によれば、雄側突部と雌側凹部との圧入嵌合を介して紙管連結具同士の直結が可能となるため、紙管連結具自体の基本構造如何とも相俟って、紙管を用いた構築物の骨格設計における設計自由度を格段に向上させることができる。
【図面の簡単な説明】
【００２１】
【図１】図１は、紙管連結具の説明図である。
【図２】図２は、紙管連結具の投影図である。
【図３】図３は、紙管連結具の断面図及び斜視図である。
【図４】図４は、屋内プレイハウスの外観斜視図である。
【図５】図５は、紙管連結具の連結態様に関する説明図である。
【図６】図６は、化粧板部材の説明図である。
【図７】図７は、脚部材の組立説明図である。
【図８】図８は、蝶番部材の説明図である。
【図９】図９は、蝶番部材の組立説明図である。
【図１０】図１０は、蝶番部材の使用例に関する説明図である。
【発明を実施するための形態】
【００２２】
以下に、本発明に係る紙管の連結装置の好適な実施の一形態を添付図面にしたがって詳細に説明する。
【００２３】
先に説明したように、本発明に係る紙管の連結装置は、 多面体状の基部と、前記基部の有する全ての面うち、２以上の面のそれぞれから突出しかつ対象となる紙管の中心孔に挿入されて圧入嵌合されるべき２以上の雄側突部と、前記基部の有する全ての面うち、前記雄側突部の存在しない１面に開口しかつ他の紙管連結具の同様な雄型突部を受け入れて圧入嵌合されるべき雌側凹部とを有する紙管連結具を包含する。
【００２４】
このような構成によれば、雄側突部と雌側凹部との圧入嵌合を介して紙管連結具同士の直結が可能となるため、紙管連結具自体の基本構造如何とも相俟って、紙管を用いた構築物の骨格設計における設計自由度を向上させることができる。
【００２５】
そのような紙管の連結装置のより具体的な一例について、図１〜図１０を参照しながら、詳細に説明する。この例にあっては、基部が形作る多面体としては正六面体（立方体）が採用されており、その周囲には６個の面が定義される。この例にあっては、そのような面のうちの５つの面については、雄側突部が形成される一方、残りの１つの面については雌側凹部が形成されている。
【００２６】
このような５つの雄側突部を有する紙管連結具によれば、１）２本の紙管を直線状に連結する連結部、２）２本の紙管を直角に連結する連結部、３）３本の紙管をＴ字状に連結する連結部、４）３本の紙管が互いに直交するように連結する連結部、５）４本の紙管を十字状に連結する連結部、５）５本の紙管を十字状に垂直な１本を加えて連結する連結部と言った通常の箱形構築物の骨組みに想定される全ての連結部に対応することができる。
【００２７】
＜紙管連結具について＞
図１に示されるように、この紙管の連結装置は、樹脂（例えば、ＡＢＳ樹脂）を用いて成型された１又は２以上の紙管連結具１を含んで構成される。各紙管連結具１のそれぞれは、正六面体状（立方体状）の基部１０と、基部１０の有する６つの面うち、５つの面のそれぞれから突出しかつ対象となる紙管（この例では、断面正方形環状の角型紙管）２の中心孔（この例では、断面正方形状の中心孔）２１に挿入されて圧入嵌合されるべき５つの雄側突部（この例では、断面正方形環状の角型突部）１１〜１５と、基部１０の有する６つの面うち、雄側突部１１〜１５の存在しない１面に開口しかつ他の紙管連結具の同様な雄型突部を受け入れて圧入嵌合されるべき雌側凹部１６とを有する。この例にあっては、５本の雄型突部１１〜１５の長さは均等であって、雌型凹部１６の深さとほぼ同一とされている。
【００２８】
このような構成によれば、１の紙管連結具１の雄側突部１１〜１５と他の任意形状を有する１の紙管連結具の雌側凹部１６との圧入嵌合を介して紙管連結具同士の直結が可能となるため、紙管連結具自体の基本構造如何（他の１の紙管連結具は、直線２連結、直角２連結、直角３連結、十字条４連結、等々でもよい）とも相俟って、紙管を用いた構築物の骨格設計における設計自由度を格段に向上させることができる。
【００２９】
なお、図２〜図３は、紙管連結具１の構造を意匠的かつ精密に描いた図面であって、図２は背面図（正面図と同一）と右側面図（左側面図と同一）を除いた紙管連結具の投影図、図３（ａ）は図２（ａ）におけるIII−III線断面図、図３（ｂ），（ｃ）は平面側及び底面側から見た斜視図である。
【００３０】
それらの図からも明らかなように、雄側突部１１〜１５はそれぞれやや先細り状に形成され、その４つの外周側面のそれぞれには、挿入方向に沿って３本の突条ａ１，ａ２，ａ３が形成されている（図１（ａ）参照）。一方、雌側凹部１６は深さ方向にほぼ一定の径を有すると共に、その４つの内周側面のそれぞれにも、挿入方向に沿って２本の突条ｂ１，ｂ２が形成されている（図１（ａ）参照）。突条ａ１〜ａ３と突条ｂ１，ｂ２とは高さがほぼ同一であって、圧入嵌合させた際に突条同士が干渉することがないように、互い違いに配置されている。
【００３１】
このような構成を有することから、雄型突部１１〜１５に紙管２が圧入外嵌すると、両者間の密接圧力は、突条ａ１〜ａ３に沿って線上に集中することとなり、雄型突部１１〜１５のそれぞれと紙管２とは両者間の摩擦力を介して強固に結合される。同様にして、１の紙管連結具の雌型凹部１６に他の１の紙管連結具の雄型突部が圧入内嵌すると、両者間の密接圧力は、突条ａ１〜ａ３及び突条ｂ１，ｂ２に沿って線上に集中することとなり、雄型突部１１〜１５のそれぞれと雌型凹部１６とは両者間の摩擦力を介して強固に結合される。
【００３２】
上述の紙管連結具１を８個使用して構築された室内小屋（例えば、子供用プレイハウス、大人用個室、災害時の避難所の個室、等々として使用される）４が、図４に示されている。同図に示されるように、この例にあっては、直方体の８つの頂点のそれぞれに配置した紙管連結具同士を紙管２にて結合することにより、直方体状の骨格を構築すると共に、左右両側面壁板３１，３１、前面壁板３２、並びに、背面壁板（図示せず）として、段ボール製板材３を適宜な接着剤や粘着剤にて貼り付けることにより、室内小屋４が構成されている。前面板３２には、段ボール製板材３を切り抜きかつヒンジ加工してなる入り口ドア３２ａが形成されている。なお、壁板の材質としては、段ボール製板材に限らず、各種の圧縮ボードや樹脂製ボードなどを使用することもできる。
【００３３】
上述の紙管連結具１を１方向へと複数直結（連結）してなる骨組み構造の一例が、図５に示されている。同図に示されるように、この例にあっては、同一構造からなる複数の紙管連結具１のそれぞれを、雄型突部１５が雌型凹部１６内へと圧入内嵌することで、一連の柱状連結体を左右２組構築するとともに、それらの間を互いに平行な複数の紙管２，２，・・・にて連結することににより、並列紙管から成る強固な壁体が構成されている。
【００３４】
＜附属部品について＞
先に説明したように、本発明に係る紙管の連結装置にあっては、以下に述べる様々な附属部品を備えることもできる。この附属部品は、紙管連結具１の雌側凹部１６に圧入嵌合さるべき雄側突部と、所定の機能を実現する機能実現部とが設けられている。
【００３５】
［盲板を有する附属部品］
機能実現部として、化粧板として機能する盲板を有する付属部品の一例が、図６に示されている。この例にあっては、付属部品５は、盲板５１とその一面側に設けられた雄型突部５２とを備えている。雄型突部５２の４つの外周側面のそれぞれには、先に説明したように、３本の突条ａ１，ａ２，ａ３が形成されている。
【００３６】
このような構成よりなる盲板を有する付属部品５によれば、図６（ａ）に示されるように、雄型突部５２を紙管連結具１の雌型凹部１６に圧入内嵌させることにより、図６（ｂ）に示されるように、紙管連結具１の雌型凹部１６の開口を盲板５１で塞ぎ、外観体裁を向上させることができる。
【００３７】
［追加の雄型突部を有する付属部品］
機能実現部として、追加の雄型突部を有する付属部品の一例が、図７に示されている。この例にあっては、付属部品６は、鍔部６１と、鍔部６１の一方の面側に設けられた雄型突部６２と、鍔部６１の他方の面側に設けられたもう一つの雄型突部６３とを備えている。雄型突部６２，６３の４つの外周側面のそれぞれには、先に説明したように、３本の突条ａ１，ａ２，ａ３が形成されている。
【００３８】
このような構成によりなる追加の雄型突部を有する付属部品６によれば、図７（ａ）に示されるように、雄型突部６２を紙管連結具１の雌型凹部１６に圧入内嵌させることにより、図７（ｂ）に示されるように、５方向の紙管連結具１にさらに１方向の雄型突部６３を追加することで、６方向の紙管連結具を実現することができる。
【００３９】
［蝶番付き雄型突部を有する附属部品］
機能実現部として、蝶番付き雄型突部を有する附属部品の一例が、図８に示されている。この例にあっては、付属部品７は、蝶番部７１と、蝶番部７１を構成する第１の回動板７１ｂに設けられた雄型突部７２と、蝶番部７１を構成する第２の回動板７１ａに設けられた雄型突部７３とを備えている。雄型突部７２，７３の４つの外周側面のそれぞれには、先に説明したように、３本の突条ａ１，ａ２，ａ３が形成されている。蝶番部７１の詳細が、図９（ａ）に示されている。同図に示されるように、蝶番部７１は、その一側縁部にピン通し部を突設してなる第１の回動板７１ｂとその一側縁部にピン通し部を突設してなる第２の回動版７１ａと、それらのピン通し部を貫通する蝶番ピン７１ｃとから構成されている。
【００４０】
このような構成よりなる蝶番付き雄型突部を有する附属品７によれば、図９（ａ）に示されるように、雄型突部７３を紙管連結具１の雌型突部１６に圧入内嵌させることにより、５方向の紙管連結具１に対して、紙管２を連結するための蝶番付きの雄型突部７２を追加することができる。そして、このような蝶番付きの紙管連結具１Ａによれば、図９（ａ），（ｂ）に示されるように、開状態と閉状態との間で回動可能なため、例えば、図１０（ａ），（ｂ）に示されるように、屋根の垂木となる紙管２Ａの傾斜下端部に取り付けることにより、任意の傾斜角度を有する傾斜屋根付きの室内小屋８を実現したり、図示しないが、開き戸となる紙管式矩形枠体の側縁部に取り付けることにより、回動式開き戸を容易に実現することができる。
【００４１】
＜その他＞
本発明の要旨とするところは、特許請求の範囲の記載により特定されるものであって、特に、基部の構成については、正六面体状に限定されることなく、正四面体、正八面体、等々と言ったように、多面体状の基部を有する紙管連結具に広く応用が可能であることは言うまでもない。
【００４２】
また、以上の実施形態では、六面体状の基部を有する紙管連結具に対して、５個の雄型突部を設けたが、本発明の紙管連結具にあって、雄型突部の数は、２個（直線上連結、直角状連結）、３個（互いに９０度角度差連結）、４個（十字状連結）のいずれでもよい。
【００４３】
また、以上の実施例では、雄型突部、雌型凹部、紙管の各断面を正方形としたが、本発明の紙管連結具にあって、それらの断面は他の正多角形状又は円形状であってもよい。
【００４４】
さらに、以上の実施形態では、５本の雄型突部１１〜１５の長さはすべて均等としたが、本発明の紙管連結具にあって、複数の雄型突部の長さは、例えば、１本のみが他の均等な雄型突部より長いと言ったように、異なるものであってもよい。
【産業上の利用可能性】
【００４５】
本発明は、紙管の連結具を樹脂成形技術を使用して製造する産業に利用することができる。
【符号の説明】
【００４６】
１        紙管連結具
１Ａ      蝶番付き紙管連結具
２        紙管
３        段ボール製板材
４        室内小屋
５        盲板を有する付属部品
６        もう１つの雄側突部を有する付属部品
７        蝶番付き雄側突部を有する付属部品
８        傾斜屋根付きの室内小屋
１０      基部を有する付属部品
１１      雄側突部
１２      雄側突部
１３      雄側突部
１４      雄側突部
１５      雄側突部
１６      雌側凹部
２１      中心孔      
５１      盲板
５２      周側面
６１      鍔部
６２      雄側突部
６３      もう１つの雄側突部
７１      蝶番部
７２      雄側突部
７３      雄側突部
ａ１，ａ２，ａ３    雄側突部周側面上の突条
ｂ１，ｂ２    雌側凹部周側面上の突条
【図１】
2019184009.tif 000003
【図２】
2019184009.tif 000004
【図３】
2019184009.tif 000005
【図４】
2019184009.tif 000006
【図５】
2019184009.tif 000007
【図６】
2019184009.tif 000008
【図７】
2019184009.tif 000009
【図８】
2019184009.tif 000010
【図９】
2019184009.tif 000011
【図１０】
2019184009.tif 000012